(57)【要約】  【課題】  不自由な手指でもバルーンを拡張でき、バルーンカテーテルの装着を容易にする。  【解決手段】  バルーン拡張用のリザーバ５７、可撓管５８及び可撓管５８上のクランプ５９からなるリザーバセット５６を操作する操作具を、ベース部材１とレバー部材２とで構成する。ベース部材１は、リザーバ５７を収容する第１収容部１５と、クランプ５９を収容する第２収容部１６とを備える。レバー部材２は、ベース部材１に上方の第１位置から下方の第２位置へ垂直方向に相対移動自在に、また第２位置から第３位置へ相対回動自在にベース部材１に係合する。レバー部材の第１押圧部２５は、レバー部材２が第１位置から第２位置への移動時に、第１収容部２５に収容したリザーバ５７を圧縮してバルーンに流体を送出させる。第２押圧部２６は、レバー部材２が第２位置から第３位置へ回動時に、ベース部材１の第２収容部２６に収容したクランプ５９を遮断位置へ変形させる。【選択図】  図９
2018187288.tif 000002
【特許請求の範囲】
【請求項１】
バルーンカテーテルのバルーンを拡張させるための流体を収容する伸縮自在のリザーバと、基端側が当該リザーバに接続され先端側がバルーンカテーテルの接続部に接続される可撓管と、当該可撓管の途上に係止され可撓管の軸線直交方向の押圧により変形して可撓管の流路を遮断するために保持されるクランプとを具備するバルーン拡張用のリザーバセットの操作具であって、
前記リザーバを位置決めして収容する第１収容部と前記クランプを位置決めして収容する第２収容部とを備えたベース部材と、
前記ベース部材に対して上方の第１位置から下方の第２位置へ垂直方向に相対移動自在で、第２位置から第３位置へ相対回動自在に係合されるレバー部材とを具備し、
前記レバー部材は、前記第１位置から前記第２位置への垂直下動時に前記第１収容部に収容された前記リザーバを圧縮して前記バルーンに流体を送出させる第１押圧部と、前記第２位置から前記第３位置への回動時に前記第２収容部に収容された前記クランプを遮断位置へ変形させる第２の押圧部とを具備することを特徴とするバルーン拡張用リザーバセットの操作具。
【請求項２】
前記ベース部材は、平行一対の垂直壁と、これら垂直壁の外側壁に突設されたガイドボスとガイド突条とを具備し、
前記レバー部材は、前記ベース部材の垂直壁の外側に摺接する平行一対の垂直壁と、これら垂直壁の内側壁に形成され前記ガイドボスに係合する第1ガイド溝と、前記ガイド突条に係合する第２ガイド溝とを具備し、
前記第1ガイド溝は、垂直に延び、それの上端に前記ガイドボスが当接するまで、前記第１位置から前記第２位置までの前記レバー部材の垂直下動をガイドするように設けられ、
前記第２ガイド溝と前記ガイド突条は、前記第１位置から前記第２位置までの前記レバー部材の垂直下動をガイドし、かつ前記第２位置から前記第３位置までの前記ボスを中心とする前記レバー部材の回動をガイドするように設けられることを特徴とする請求項１に記載のバルーン拡張用リザーバセットの操作具。
【発明の詳細な説明】
【技術分野】
【０００１】
本発明は、導尿カテーテル等の生体留置型のバルーンカテーテルに用いられる、バルーン拡張用のリザーバセットを操作するための操作具に関する。
【背景技術】
【０００２】
導尿用のバルーンカテーテルは、例えば特許文献１に見られるように公知である。このカテーテルは、尿道を通して膀胱まで達するシャフトと、このシャフトの先端部に設けられるバルーンと、シャフトの基端側に取り付けられるファネルとを具備する。ファネルには、採尿バッグが接続されると共に、分岐管を介してバルーン拡張用のリザーバセットが接続される。シャフトの最先端部には膀胱に貯留された尿を導出するための開口が形成される。この開口が、シャフト内の第１通路を介してファネルまで連通している。一方、バルーン拡張用の流体を収容するリザーバとバルーンとは、可撓管、ファネルの分岐管を介して、シャフト内の第２通路で連通している。ファネルの分岐管とリザーバとの間を接続する可撓管の延長途上には、クランプが係合している。このクランプは、バルーンとリザーバとの間の連通及び遮断を制御する役割を有している。
【先行技術文献】
【特許文献】
【０００３】
【特許文献１】特開２００７−１６７４８３号公報
【発明の概要】
【発明が解決しようとする課題】
【０００４】
上記従来のバルーンカテーテルにおいては、リザーバを圧縮して拡張用流体をバルーンへ圧送する操作と、その後、クランプを操作して可撓管を閉塞する操作とを必要とするが、この操作は、手指の不自由な使用者にとっては、必ずしも容易ではない。したがって、本発明は、リザーバの圧縮による拡張用流体の送出操作と、その後のクランプによる可撓管の閉塞操作を、順を追って、容易に行うことができる操作具を提供することを目的とする。
【課題を解決するための手段】
【０００５】
以下、添付図面の符号を参照して説明するが、本発明はこれに限定されるものではない。
上記課題を解決するための、本発明の操作具は、バルーンカテーテルにおけるリザーバ５７、可撓管５８及び可撓管５８上のクランプ５９からなるリザーバセット５６を操作するものであって、ベース部材１とレバー部材２とを具備する。ベース部材１は、リザーバ５７を位置決めして収容する第１収容部１５と、クランプ５９を位置決めして収容する第２収容部１６とを備える。レバー部材２は、第１及び第２の押圧部２５，２６を具備し、ベース部材１に対して、上方の第１位置から下方の第２位置へ垂直方向に相対移動自在で、さらに第２位置から第３位置へ相対回動自在にベース部材１に係合される。レバー部材の第１押圧部２５は、第１位置から第２位置への垂直下動時に、ベース部材の第１収容部に収容されたリザーバ５７を圧縮してバルーン５３に流体を送出させる。第２押圧部２６は、レバー部材２が第２位置から第３位置へ回動時に、ベース部材１の第２収容部２６に収容されたクランプ５９を遮断位置へ変形させる。
【発明の効果】
【０００６】
本発明のリザーバセットの操作具によれば、ベース部材の収容部内にリザーバセットを収容し、レバー部材を垂直に第２位置へ押し下げることにより、リザーバの圧縮操作が完了し、そこから第３位置へ回動させることで、クランプの係合操作が完了するので、不自由な手指でも介助を要することなく、バルーンカテーテルの生体内への留置操作を容易に行うことができる。
【図面の簡単な説明】
【０００７】
【図１】本発明のリザーバセットの操作具の斜視図である。
【図２】図１の操作具におけるべース部材の平面図である。
【図３】図１の操作具におけるべース部材の正面図である。
【図４】図１におけるＩＶ−ＩＶ断面図である。
【図５】図１におけるＶ−Ｖ断面図である。
【図６】図１の操作具におけるレバー部材の底面図である。
【図７】図１におけるＶＩＩ−ＶＩＩ断面図である。
【図８】図１おけるＶＩＩＩ−ＶＩＩＩ断面図である。
【図９】図１の操作具の操作過程を示す縦断面図である。
【図１０】図９の操作過程に対応するベース部材とレバー部材の位置関係の説明図である。
【図１１】図１の操作具によってバルーンを拡張して保持するバルーンカテーテルの構成図である。
【発明を実施するための形態】
【０００８】
まず、本発明の操作具１を用いて操作するバルーンカテーテルの一例である導尿用のバルーンカテーテルを図１１について説明する。このカテーテル５１は、尿道を通して膀胱まで達するシャフト５２と、このシャフト５２の先端部に設けられるバルーン５３と、シャフト５２の基端側に取り付けられるファネル５４とを具備する。ファネル５４には、採尿バッグ５５が接続されると共に、分岐管５４ａを介してバルーン拡張用のリザーバセット５６が接続される。
【０００９】
リザーバセット５６は、バルーン拡張用の流体を収容するリザーバ５７と、分岐管５４ａとリザーバ５７とを接続する可撓管５８と、可撓管５８の延長途上に係合するクランプ５９とを具備する。
【００１０】
シャフト５２の最先端部には膀胱に貯留された尿を導出するための開口６０が形成される。この開口６０が、シャフト５２内の第１通路を介してファネル５４まで連通している。
【００１１】
一方、バルーン拡張用の流体を収容するリザーバ５７とバルーン５３とは、シャフト５２内の第２通路を介して連通している。リザーバ５７を圧縮して流体をバルーン５３へ送ると、バルーン５３が仮想線で示すように膀胱内で拡張する。
【００１２】
クランプ５９は、バルーン５３とリザーバ５７との間の連通及び遮断を制御する役割を有しており、バルーン５３の拡張後、可撓管５８を閉じてバルーン５３の拡張を維持する。クランプ５９は、弾性合成樹脂製で、基端側で湾曲して連続する対向一対の脚部５９ａと、脚部５９ａの内側対向位置に形成される締め付け突起５９ｂと、一方の脚部５９ａから内側へ湾曲して延出し、先端に係合爪５９ｄを有する係合片５９ｃとを具備する。クランプ５９の基端側の湾曲部と係合片５９ｃの途上を可撓管５８が貫通している。一対の脚部５９ａ間を閉じるように圧縮すると、締め付け突起５９ｂが接近して可撓管５８を閉塞すると同時に、係合爪５９ｄが他方の脚部５９ａの先端に係合して閉塞状態を維持する。
【００１３】
本発明は、上記のようなバルーンカテーテル５１のバルーン５３を制御するリザーバセット５６を操作するための操作具に係るものである。
図１において、本発明の本実施形態に係るバルーン拡張用リザーバセットの操作具は、互いに上下に嵌合するいずれも合成樹脂製のベース部材１とレバー部材２とを具備する。
【００１４】
図１ないし図５に示すように、ベース部材１は、前壁１１、後壁１２、両側壁１３及び底面１４を有する上方に開放した概略直方体の箱型であり、後方に上方に開放した第１収容凹部１５、前方に上方に開放した第２収容凹部１６を具備する。第１収容凹部１５と第２収容凹部１６とはつながっており、第１収容凹部１５内にはリザーバ５７が収容され、第２収容凹部１６にはクランプ５９が収容される。第２収容凹部１６は、可撓管５８を通すための縦方向の切欠１１ａにより前方へ開放している。第１収容凹部１５は、リザーバ５７を位置決めして収容する形状である。第２収容凹部４は、係合片５９ｃを上側に向け、脚部５９ａ間を上下に垂直に圧縮できるように、クランプ５９を位置決めして収容する形状である。
【００１５】
図１，図６ないし図８に示すように、ベース部材１の両側壁１３の中間部外側面には、上端縁付近から下方へ垂直に延びるガイド突条１７が形成される。ガイド突条１７の下端部の前隅は円弧面１７ａを形成している。両側壁１３の後方上隅部の外側面には、ガイドボス１８が形成される。
【００１６】
レバー部材２は、前壁２１、後板２２、両側板２３及び天壁２４を備え、ベース部材１に上から嵌合する下方に開放した概略略直方体箱状である。前壁２１には、ベース部材１の切欠１１ａに対向する縦長の切欠２１ａが形成される。天壁２４の下面には、第１収容凹部１５に対応する位置に、第１押圧凸部２５が、第２収容凹部１６に対応する位置に、第２押圧凸部２６が形成される。第１押圧凸部２５は、ベース部材１にレバー部材２を嵌合させて押下することにより、第１収容凹部１５内のリザーバ５７を圧縮し、所定量の拡張用流体をバルーン５３へ送出し、第２押圧凸部２６は、クランプ５９の脚部５９ａ間を閉じるように圧縮する。
【００１７】
レバー部材２の両側壁２３の内側には、ガイド突条１７を受け入れる縦方向のガイド溝２７が形成される。ガイド溝２７は、側壁２３の下端縁から上方へ延び、上部において前後方向に広がっている。両側壁２３の後部内側には、ベース部材１のガイドボス１８を受け入れ可能な縦方向の軸受け溝２８が形成される。軸受け溝２８は、それの上端にガイドボス１８が当接した位置で、レバー部材２の垂直方向の押下を止める。この状態で、レバー部材２の前方部を押し下げると、レバー部材２が、ガイドボス１８を中心に下方へ回転する。
【００１８】
この実施形態の操作具の使用方法を説明する。バルーンカテーテル５１のシャフト５２を体内へ挿入し、図９（Ａ）、図１０（Ａ）に示すように、リザーバセット５６のリザーバ５７をベース部材１の第１収容凹部１５へ、クランプ５９を第２収容凹部へ１６それぞれ格納して、ベース部材１の上の第１位置にレバー部材２を嵌合させる。
【００１９】
この状態から、図９（Ｂ）、図１０（Ｂ）に示すように、ガイドボス１８が軸受溝２８の上端に当接する第２位置まで、レバー部材２を垂直に押下する。これにより、リザーバ５７が圧縮され、収容された流体が所定量バルーン５３へ送られ、バルーン５３が体内で拡張する。
【００２０】
この状態で、ガイド溝２７の拡大部がガイド突条２７の傾斜面２７ａに到達する。ここから、図９（Ｃ）、図１０（Ｃ）に示すように、レバー部材２の前方を押し下げ、ガイドボス１８を中心にレバー部材２を第３位置まで回転させると、クランプ５９の脚部５９ａ間が閉じて、締め付け突起５９間で可撓管５８を圧縮され、その流路が閉じ、また係合爪５９ｄに脚部５９ａの先端部が係合して、閉路状態が維持される。
【符号の説明】
【００２１】
１    ベース部材
１１    前壁
１１ａ  切欠
１２    後壁
１３    側壁
１４    底面
１５    第１収容凹部
１６    第２収容凹部
１７    ガイド突条
１７ａ  円弧面
１８    ガイドボス
２    レバー部材
２１    前壁
２１ａ  切欠
２２    後板
２３    側板
２４    天壁
２５    第１押圧凸部
２６    第２押圧凸部
２７    ガイド溝
２８    軸受け溝
５１    カテーテル
５２    シャフト
５３    バルーン
５４    ファネル
５４ａ  分岐管
５５    採尿バッグ
５６    リザーバセット
５７    リザーバ
５８    可撓管
５９    クランプ
５９ａ  脚部
５９ｂ  締め付け突起
５９ｃ  係合片
５９ｄ  係合爪
６０    開口
【図１】
2018187288.tif 000003
【図２】
2018187288.tif 000004
【図３】
2018187288.tif 000005
【図４】
2018187288.tif 000006
【図５】
2018187288.tif 000007
【図６】
2018187288.tif 000008
【図７】
2018187288.tif 000009
【図８】
2018187288.tif 000010
【図９】
2018187288.tif 000011
【図１０】
2018187288.tif 000012
【図１１】
2018187288.tif 000013
【手続補正書】
【提出日】平成30年7月4日(2018.7.4)
【手続補正１】
【補正対象書類名】特許請求の範囲
【補正対象項目名】全文
【補正方法】変更
【補正の内容】
【特許請求の範囲】
【請求項１】
バルーンカテーテルのバルーンを拡張させるための流体を収容する伸縮自在のリザーバと、基端側が当該リザーバに接続され先端側がバルーンカテーテルの接続部に接続される可撓管と、当該可撓管の途上に係止され可撓管の軸線直交方向の押圧により変形して可撓管の流路を遮断するために保持されるクランプとを具備するバルーン拡張用のリザーバセットの操作具であって、
前記リザーバを位置決めして収容する第１収容部と前記クランプを位置決めして収容する第２収容部とを備えたベース部材と、
前記ベース部材に対して上方の第１位置から下方の第２位置へ垂直方向に移動自在で、第２位置から第３位置へ回動自在に係合されるレバー部材とを具備し、
前記レバー部材は、前記第１位置から前記第２位置への垂直下動時に前記第１収容部に収容された前記リザーバを圧縮して前記バルーンに流体を送出させる第１押圧部と、前記第２位置から前記第３位置への回動時に前記第２収容部に収容された前記クランプを遮断位置へ変形させる第２の押圧部とを具備することを特徴とするバルーン拡張用リザーバセットの操作具。
【請求項２】
前記ベース部材は、平行一対の垂直壁と、これら垂直壁の外側壁に突設されたガイドボスとガイド突条とを具備し、
前記レバー部材は、前記ベース部材の垂直壁の外側に摺接する平行一対の垂直壁と、これら垂直壁の内側壁に形成され前記ガイドボスに係合する第1ガイド溝と、前記ガイド突条に係合する第２ガイド溝とを具備し、
前記第1ガイド溝は、垂直に延び、それの上端に前記ガイドボスが当接するまで、前記第１位置から前記第２位置までの前記レバー部材の垂直下動をガイドするように設けられ、
前記第２ガイド溝と前記ガイド突条は、前記第１位置から前記第２位置までの前記レバー部材の垂直下動をガイドし、かつ前記第２位置から前記第３位置までの前記ガイドボスを中心とする前記レバー部材の回転に対応して、第２位置に到達したガイド突条が第２ガイド溝内で相対変位可能に設けられることを特徴とする請求項１に記載のバルーン拡張用リザーバセットの操作具。
【手続補正２】
【補正対象書類名】明細書
【補正対象項目名】００２０
【補正方法】変更
【補正の内容】
【００２０】
この第２位置で、図１０（Ｂ）に示すように、ガイド溝２７の拡大部がガイド突条１７の円弧面１７ａに到達する。ガイド溝２７の拡大部とガイド突条１７の円弧面１７ａとによって、ガイド溝２７内にガイド突条１７が相対的に変位可能に受け入れられる。ここから、図９（Ｃ）、図１０（Ｃ）に示すように、レバー部材２の前方を押し下げると、ガイドボス１８を中心とするレバー部材２の第３位置までの回転が妨げられない。このレバー部材２の第３位置で、クランプ５９の脚部５９ａ間が閉じて、締め付け突起５９間で可撓管５８を圧縮し、その流路を閉じ、また係合爪５９ｄに脚部５９ａの先端部が係合して、閉路状態が維持される。